(57)【要約】      （修正有）【課題】ＥＤＩ（Ｅｌｅｃｔｒｉｃ  Ｄａｔａ  Ｅｘｃｈａｎｇｅ）システムにおいて、ファイルフォーマットの変換時間を抑制するための仕組みを提供する。【解決手段】基幹システムで用いる形式のデータである業務データとＥＤＩ通信を行うために用いる形式のデータであるＥＤＩデータとの間で相互にフォーマットを変換するＥＤＩシステムであって、ＥＤＩサーバは、業務データをフォーマットの異なる他の業務データまたはＥＤＩデータである出力データに変換する際に用いるフォーマットを記憶する記憶手段と、前記記憶手段に記憶されるフォーマットから前記業務データの変換対象とするフォーマットを選択可能な表示アイテムを表示部に表示させる表示制御手段と、前記表示制御手段で表示された前記表示アイテムによりフォーマットが選択されたことを条件として、前記業務データと前記出力データとのデータ項目の対応関係を決定する決定手段と、を有する。【選択図】図３
2019049857.tif 000002
【特許請求の範囲】
【請求項１】
基幹システムで用いる形式のデータである業務データとＥＤＩ通信を行うために用いる形式のデータであるＥＤＩデータとの間で相互にフォーマットを変換するＥＤＩシステムであって、
前記業務データをフォーマットの異なる他の業務データまたは前記ＥＤＩデータである出力データに変換する際に用いるフォーマットを記憶する記憶手段と、
前記記憶手段に記憶されるフォーマットから前記業務データの変換対象とするフォーマットを選択可能な表示アイテムを表示部に表示させる表示制御手段と、
前記表示制御手段で表示された前記表示アイテムによりフォーマットが選択されたことを条件として、前記業務データと前記出力データとのデータ項目の対応関係を決定する決定手段と、
を有することを特徴とするＥＤＩシステム。
【請求項２】
前記業務データにおける、フォーマットを変換する前のフォーマットを設定する設定手段を更に有することを特徴とする請求項１に記載のＥＤＩシステム。
【請求項３】
前記設定手段で設定されたフォーマットと、前記表示制御手段に表示された表示アイテムから選択されたフォーマットとに基づいてフォーマットを変換する変換処理を行う処理部を更に有することを特徴とする請求項２に記載のＥＤＩシステム。
【請求項４】
前記表示制御手段は、前記表示アイテムから選択されたフォーマットに対応する詳細設定画面を表示し、
前記処理部は、前記詳細設定画面で入力された値をフォーマットの変換処理の結果に反映させることを特徴とする請求項３に記載のＥＤＩシステム。
【請求項５】
前記決定手段で決定した対応関係に基づいて、前記業務データと前記出力データとの間でループ項目の対応づけを行うループマッピング処理をするループマッピング処理手段を更に有することを特徴とする請求項１乃至４のいずれか１項に記載のＥＤＩシステム。
【請求項６】
前記決定手段で決定した対応関係に基づいて、前記業務データと前記出力データとの間でデータ項目の対応づけを行うデータマッピング処理をするデータマッピング処理手段を更に有することを特徴とする請求項１乃至５のいずれか１項に記載のＥＤＩシステム。
【請求項７】
前記表示制御手段は、前記業務データと前記出力データとの対応関係を識別可能な態様で表示部に表示させることを特徴とする請求項１乃至６のいずれか１項に記載のＥＤＩシステム。
【請求項８】
基幹システムで用いる形式のデータである業務データとＥＤＩ通信を行うために用いる形式のデータであるＥＤＩデータとの間で相互にフォーマットを変換するサーバであって、
前記業務データをフォーマットの異なる他の業務データまたは前記ＥＤＩデータである出力データに変換する際に用いるフォーマットを記憶する記憶手段と、
前記記憶手段に記憶されるフォーマットから前記業務データの変換対象とするフォーマットを選択可能な表示アイテムを表示部に表示させる表示制御手段と、
前記表示制御手段で表示された前記表示アイテムによりフォーマットが選択されたことを条件として、前記業務データと前記出力データとのデータ項目の対応関係を決定する決定手段と、
を有することを特徴とするサーバ。
【請求項９】
基幹システムで用いる形式のデータである業務データとＥＤＩ通信を行うために用いる形式のデータであるＥＤＩデータとの間で相互にフォーマットを変換するＥＤＩシステムの制御方法であって、
前記ＥＤＩシステムは、前記業務データをフォーマットの異なる他の業務データまたは前記ＥＤＩデータである出力データに変換する際に用いるフォーマットを記憶する記憶手段を備え、
前記記憶手段に記憶されるフォーマットから前記業務データの変換対象とするフォーマットを選択可能な表示アイテムを表示部に表示させる表示制御工程と、
前記表示制御工程で表示された前記表示アイテムによりフォーマットが選択されたことを条件として、前記業務データと前記出力データとのデータ項目の対応関係を決定する決定工程と、
を有することを特徴とするＥＤＩシステムの制御方法。
【請求項１０】
コンピュータを、請求項１から７のいずれか１項に記載されたＥＤＩシステムの各手段として機能させるためのプログラム。
【発明の詳細な説明】
【技術分野】
【０００１】
本発明は、ＥＤＩシステム、サーバ、ＥＤＩシステムの制御方法、およびプログラムに関する。
【背景技術】
【０００２】
ＥＤＩ（Ｅｌｅｃｔｒｏｎｉｃ  Ｄａｔａ  Ｅｘｃｈａｎｇｅ）システムでは、自社の基幹システムで用いる電子データ（業務データ）を業界標準のフォーマットに相互に変換し、業界標準プロトコルに用いてデータの送受信を行うことが知られている。
【０００３】
特許文献１には、サーバに蓄積されたフォーマット定義ファイルに基づいて、業務データからＥＤＩデータ（例えばＣＳＶファイル）を生成するＥＤＩシステムが開示されている。
【先行技術文献】
【特許文献】
【０００４】
【特許文献１】特開２００４−２８７９７２号公報
【発明の概要】
【発明が解決しようとする課題】
【０００５】
上述のように、ＥＤＩシステムにおいては、基幹システムと標準フォーマットの間でファイルフォーマットを変換する作業が送受信毎に発生する。
【０００６】
また、従来のＥＤＩシステムでは、基幹システムで用いるデータを更にフォーマットだけ変換したい場合がある。このような場合においても、基幹システムと標準フォーマットの間の変換と同様に煩雑な設定をしなければならないおそれがあった。
【０００７】
そのため、ＥＤＩシステムは、効率よくシステムを運用するために、ファイルフォーマットの変換にかかる時間を短縮することが望まれていた。しかしながら、これらの点に関して特許文献１では何ら考慮されていなかった。
【０００８】
そこで、本発明は、上記課題に鑑みてなされたものであり、ＥＤＩシステムにおいて、ファイルフォーマットの変換時間を低減するための仕組みを提供することを目的とする。
【課題を解決するための手段】
【０００９】
そこで、本発明は、基幹システムで用いる形式のデータである業務データとＥＤＩ通信を行うために用いる形式のデータであるＥＤＩデータとの間で相互にフォーマットを変換するＥＤＩシステムであって、前記業務データをフォーマットの異なる他の業務データまたは前記ＥＤＩデータである出力データに変換する際に用いるフォーマットを記憶する記憶手段と、前記記憶手段に記憶されるフォーマットから前記業務データの変換対象とするフォーマットを選択可能な表示アイテムを表示部に表示させる表示制御手段と、前記表示制御手段で表示された前記表示アイテムによりフォーマットが選択されたことを条件として、前記業務データと前記出力データとのデータ項目の対応関係を決定する決定手段と、を有することを特徴とする。
【発明の効果】
【００１０】
本発明によれば、ＥＤＩシステムにおいて、ファイルフォーマットの変換時間を低減するための仕組みを提供することが可能となる。
【図面の簡単な説明】
【００１１】
【図１】本実施形態におけるＥＤＩシステムの一例を示す図である。
【図２】本実施形態におけるＥＤＩシステムのハードウェア構成の一例を示す図である。
【図３】本実施形態におけるＥＤＩサーバの機能構成の一例を示す図である。
【図４】本実施形態におけるＥＤＩシステムのフォーマット変換処理の一例を示すフローチャートである。
【図５】本実施形態におけるＥＤＩシステムのフォーマット変換処理の一例を示すフローチャートである。
【図６】本実施形態におけるフォーマット変換変換前の画面の一例を示す図である。
【図７】本実施形態におけるフォーマット変換変換前の選択画面および詳細設定画面の一例を示す図である。
【図８】本実施形態におけるフォーマット変換変換後の画面の一例を示す図である。
【発明を実施するための形態】
【００１２】
以下、図面を参照して、本発明の一実施形態を詳細に説明する。
【００１３】
図１は、本発明の実施形態におけるＥＤＩシステム１００のシステム構成の一例を示す図である。
【００１４】
ＥＤＩサーバ１０１、データベース１０２が、基幹システム１０３、クライアント１０４がＬＡＮ（Ｌｏｃａｌ  Ａｒｅａ  Ｎｅｔｗｏｒｋ）等のネットワークを介して接続される構成となっている。また、インターネット等のネットワークを介して取引先ＥＤＩシステムよりＥＤＩデータが送信または受信され、ＥＤＩサーバ１０１にて当該ＥＤＩデータを受信または送信する。そして、ＥＤＩシステム１００は、基幹システム１０３で用いる形式のデータである業務データとＥＤＩ通信を行うために用いる形式のデータであるＥＤＩデータとの間で相互にフォーマットを変換する機能を備える。
【００１５】
ＥＤＩサーバ１０１は、受信したＥＤＩデータを事前設定された変換設定に従ってフォーマット変換して業務データとしてデータベース１０２に格納する。また、ＥＤＩサーバ１０１は、送信する業務データを変換設定に従ってフォーマット変換する。また、ＥＤＩサーバ１０１は、業務データをフォーマットの異なる他の業務データまたはＥＤＩデータに変換する。
【００１６】
データベース１０２は、ＥＤＩサーバ１０１によりフォーマット変換された業務データを格納し、格納された業務データは基幹システム１０３よりアクセス可能となる。データベース１０２は、本稼働、テストともに使用される。データベース１０２は、ＥＤＩサーバ１０１や基幹システム１０３に付随する記憶装置でもよいし、独立したデータベースサーバの記憶装置でもよいし、クラウド環境の外部データベースでもよい。
【００１７】
基幹システム１０３は、社内の基幹業務で使用されるシステムであり、データベース１０２にアクセスして業務データを取得し、必要に応じて当該業務データを更新する。
【００１８】
クライアント１０４は、ＥＤＩサーバ１０１にアクセス可能なユーザ端末であり、ＥＤＩサーバ１０１と連携して、ユーザに対する画面表示やユーザからの入力受付を行う。なお、クライアント１０４を介さず、ＥＤＩサーバ１０１のディスプレイ２１０等に画面を表示したり、キーボード等から直接入力を受け付けたりしてもよい。
【００１９】
ここで、「業務データ」とは、基幹システム１０３で用いる形式のデータを示す。また、「ＥＤＩデータ」は、ＥＤＩ通信を行うために用いる形式のデータを示す。なお、後述する「入力データ」は、「業務データ」を含む。「出力データ」には、「業務データ」あるいは「ＥＤＩデータ」が含まれる。
【００２０】
以下、図２を用いて、図１に示したＥＤＩサーバ１０１、基幹システム１０３、クライアント１０４に適用可能な情報処理装置のハードウェア構成の一例について説明する。
【００２１】
図２は、ＥＤＩサーバ１０１、基幹システム１０３、クライアント１０４に適用可能な情報処理装置のハードウェア構成の一例を示すブロック図である。
【００２２】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２３】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２４】
また、２０５は入力コントローラで、キーボード（ＫＢ）２０９や不図示のマウス等のポインティングデバイス等からの入力を制御する。２０６はビデオコントローラで、ディスプレイ２１０等の表示器への表示を制御する。なお、表示器はＣＲＴや、液晶ディスプレイ等の様々な種類が存在する。
【００２５】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるＣＦカードメモリ等の外部メモリ２１１へのアクセスを制御する。
【００２６】
２０８は通信Ｉ／Ｆコントローラで、ネットワーク（例えば、図１に示したＬＡＮやインターネット）を介して外部機器と接続・通信するものであり、ネットワークでの通信制御処理を実行する。例えば、ＴＣＰ／ＩＰを用いた通信等が可能である。
【００２７】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２８】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２９】
図３は、ＥＤＩシステム１００のＥＤＩサーバ１０１の機能構成の一例を示す図である。尚、図３に示すＥＤＩサーバ１０１の機能構成は一例であり、用途や目的に応じて様々な構成例がある。また、各機能は、ＥＤＩサーバ１０１のＣＰＵ２０１により実行される。
【００３０】
ＥＤＩサーバ１０１は、機能部として、ファイルフォーマット設定部３０１と、表示制御部３０２と、記憶部３０３と、出力データ生成部３０４と、処理部３０５とを備える。
【００３１】
ファイルフォーマット設定部３０１は、業務データのファイルフォーマットを設定する機能を備える。ここで、ファイルフォーマット設定部３０１は、図４のＳ４０１で示す処理に対応し、業務データにおける、フォーマットを変換する前のファイルフォーマットを設定する。
【００３２】
表示制御部３０２は、表示部の表示を制御する機能を備える。表示制御部３０２は、図６から図８で示す各種画面の表示を制御する。ここで、表示部は、クライアント１０４に表示すべき各種画面を表示するディスプレイ２１０である。
【００３３】
記憶部３０３は、出力データ生成部３０４で用いる出力データの雛型を記憶する機能を備える。具体的に、記憶部３０３は、業務データをフォーマットの異なる他の業務データまたはＥＤＩデータである出力データに変換する際に用いるフォーマットを記憶する。
【００３４】
出力データ生成部３０４は、記憶部３０３で記憶する雛型に対して所定のデータ項目を生成する機能を備える。
【００３５】
処理部３０５は、対応関係決定部３０６と、ループマッピング処理部３０７と、データマッピング処理部３０８とを備える。処理部３０５は、フォーマット変換処理に関する各種処理を統括する。また、処理部３０５は、対応関係決定部３０６と、ループマッピング処理部３０７と、データマッピング処理部３０８以外のフォーマット変換に関する処理を行う機能を備える。対応関係決定部３０６は、業務データと出力データとのデータ項目の対応関係を決定する機能を備える。ループマッピング処理部３０７は、ループマッピング処理を行う機能部である。ここで、ループマッピングとは、出力側のループ項目またはＤＢレコード項目に対して、入力側のループ項目またはＤＢレコード項目を対応づける処理を示す。ループマッピング処理が行われることにより、入力側の階層構造に対応する出力側のループに対して終了条件を自動で作成することが可能となる。データマッピング処理部３０８は、データマッピング処理を行う機能部である。ここで、データマッピングとは、出力側のデータ項目またはＤＢデータ項目に対して、入力側のデータ項目またはＤＢデータ項目を対応づける処理を示す。
【００３６】
ＥＤＩサーバ１０１は、これらの機能部により、業務データをフォーマットの異なる他の業務データまたはＥＤＩデータに変換した出力データで用いるフォーマットを記憶部３０３に記憶する。そして、ＥＤＩサーバ１０１は、記憶部３０３に記憶されるフォーマットから業務データの変換対象とするフォーマットを選択可能な表示アイテムを表示部に表示させる。そして、ＥＤＩサーバ１０１は、対応関係決定部３０６により、表示制御部３０２で表示された表示アイテムにより１つのファイルフォーマットが選択されたことを条件として、業務データとＥＤＩデータとのデータ項目の対応関係を決定することができる。以下、ＥＤＩサーバ１０１の具体的な処理について図４〜８に基づいて説明する。
【００３７】
次に、図４を用いて、本実施形態におけるＥＤＩシステム１００のフォーマット変換処理について説明する。なお、図４および５で示すフローチャートは、固定長データからＣＳＶファイルへフォーマットを変更する場合を例に説明する。
【００３８】
Ｓ４０１において、ＥＤＩサーバ１０１は、業務データにおける、フォーマットを変換する前のファイルフォーマットを設定する。一例として、ファイルフォーマット設定部３０１は、固定長データをファイルフォーマットとして設定する。設定された業務データのファイルフォーマットは、表示制御部３０２により図６のフォーマット変換前の変換設定画面６０１に示すように表示される。
【００３９】
Ｓ４０２において、表示制御部３０２は、記憶部３０３に記憶されるファイルフォーマットをユーザにより選択可能な表示アイテム７０５を表示部に表示する。表示制御部３０２は、ユーザの操作に基づいて図７（ａ）で示す表示アイテム７０５を表示する。ここで、表示アイテム７０５は、選択可能なフォーマットの一覧を示す情報を含み、ユーザにより変換先のフォーマットを選択させるための表示である。
【００４０】
Ｓ４０３において、ＥＤＩサーバ１０１は、ユーザにより表示アイテム７０５から１つのファイルフォーマットの選択を受け付ける。
【００４１】
Ｓ４０４において、表示制御部３０２は、表示アイテム７０５で選択されたファイルフォーマットに基づいて詳細設定画面７０６を表示する。ユーザは、詳細設定画面７０６から変換したいファイルフォーマットに応じた値を設定できる。設定の一例として、変換したいファイルフォーマットがＣＳＶファイルである場合には、改行コードや文字コードその他のユーザが入力した設定を受け付ける。これにより、ＥＤＩサーバ１０１は、改行コードや文字コード等、形式変換に必要な情報を予め設定可能となり、ユーザの作業負担を低減することができる。
【００４２】
Ｓ４０５において、ＥＤＩサーバ１０１は、詳細設定の入力を受け付ける。詳細設定画面７０６に示すように、本実施形態では、改行コードをＣＲＬＦ、文字コードをシフトＪＩＳ、区切り文字をカンマとしている例を示す。
【００４３】
Ｓ４０６において、ＥＤＩサーバ１０１の処理部３０５は、フォーマットを変換する前のファイルフォーマットと、表示制御部３０２に表示された表示アイテム７０５から選択されたフォーマットとに基づいて変換処理を行う。なお、Ｓ４０６での具体的な処理内容については図５を用いて後述する。
【００４４】
なお、ＥＤＩサーバ１０１は、Ｓ４０４およびＳ４０５とＳ４０６との間で処理順序を変更してもよい。
【００４５】
Ｓ４０７において、処理部３０５は、Ｓ４０６で処理した内容に対してＳ４０５で受け付けた各設定値を反映させる。ここで、図８で示す画面に用いる設定値は、予め記憶部３０３に記憶される。
【００４６】
Ｓ４０８において、表示制御部３０２は、フォーマットの変換結果を表示部に表示する。
【００４７】
次に、図５を用いて、フォーマット変換処理について説明する。
【００４８】
Ｓ５０１において、処理部３０５は、変換したいファイルフォーマットに対応した設定の雛型を記憶部３０３より取得する。なお、当該設定の雛型は、予めファイルとして外部メモリ２１１に保存しておいてもよい。
【００４９】
Ｓ５０２において、対応関係決定部３０６は、業務データと出力データとのデータ項目の対応関係を決定する。つまり、表示制御部３０２で表示された表示アイテム７１５によりフォーマットが選択されたことを条件として、これらの対応関係を決定している。
【００５０】
Ｓ５０３において、出力データ生成部３０４が、Ｓ５０１で取得した雛型に対して、変換元である入力側データ（業務データ）に存在するデータ項目と同じ数、同じ項目名を追加する。このため、出力データ生成部３０４は、変換したいファイルフォーマットに対応した出力側データ（業務データまたはＥＤＩデータ）の変換定義が作成する。
【００５１】
Ｓ５０４において、ループマッピング処理部３０７が、変換元のファイルフォーマットおよび変換したいファイルフォーマットの組合せに対応したループ項目を、入力側データ、出力側データから取得する。
【００５２】
Ｓ５０５において、ループマッピング処理部３０７が、対応関係決定部３０６で決定した対応関係に基づいて、取得した入力側データのループ項目、出力側データのループ項目同士をマッピングする。ループマッピング処理部３０７がループ項目同士でマッピングを行うことにより、フォーマット変換をする際に設定するが必要な出力側のループ項目の詳細設定に対して適切な値が設定される。
【００５３】
Ｓ５０６において、データマッピング処理部３０８が、入力側データのデータ項目、出力側データのデータ項目を、同名の項目同士でマッピングする。このデータ項目同士でマッピングすることにより、入力データと出力データが対応づけられる。ここで、Ｓ５０３において、入力側と同じ数だけ出力側にデータ項目を同名で作成されているため、Ｓ５０６の処理完了時には、入力側のすべてのデータ項目と、出力側のすべてのデータ項目がマッピングされている状態となる。この場合、表示制御部３０２は、図８のマッピング表示領域８０３で示すように入力側データ（業務データ）と出力側データ（業務データまたはＥＤＩデータ）との対応関係を識別可能な態様で表示する。
【００５４】
次に図６を用いて、フォーマット変換前の変換設定画面を説明する。変換設定画面６０１は、入力側データ表示領域６０２と、マッピング表示領域６０３と、出力側データ表示領域６０４を含む。
【００５５】
入力側データ表示領域６０２は、変換元の入力ファイルのファイル構造が表示される。ここで表示されるファイル構造とは、具体的にファイルの形式（タグ固定長形式やＣＳＶ形式など）、ファイルの繰り返し構造、データ項目の数などである。次に、出力側データ表示領域６０４は、入力側データ表示領域６０２と同様に、出力ファイルのファイル構造が表示される。
【００５６】
マッピング表示領域６０３は、入力側データ表示領域６０２に表示されるデータ項目と、出力側データ表示領域６０４に表示されるデータ項目とが対応づいているか否かを表示する。なお、これら対応づけを行う処理をマッピングと称する。マッピング処理により、入力側データのいずれの項目が出力側データの項目に出力されるかを定義することができる。
【００５７】
次に図７を用いて、フォーマット変換前の選択画面を説明する。図７（ａ）における変換設定画面７０１は、変換設定画面６０１が表示されている状態において表示アイテム７０５が表示された画面である。表示アイテム７０５は、選択可能な変換先のフォーマットの一覧を示す情報を含み、ユーザにより変換先のデータフォーマットを選択させるための画面である。本実施形態では、ＣＳＶ形式、フラット固定長形式、タグ固定長形式のいずれかを選択可能であるがこれに限定されるものではない。
【００５８】
図７（ｂ）における詳細設定画面７０６は、表示アイテム７０５において、ＣＳＶ形式が選択された場合の詳細設定画面である。ユーザは、詳細設定画面７０６から変換したいファイルフォーマットに応じた詳細情報を設定できる。詳細情報は、一例として、変換したいファイルフォーマットがＣＳＶ形式である場合には、改行コードや文字コードその他のユーザが入力した内容を含む。
【００５９】
次に図８を用いて、フォーマット変換後の変換結果表示画面８０１について説明する。変換結果表示画面８０１は、入力側データ表示領域８０２と、マッピング表示領域８０３と、出力側データ表示領域８０４を含む。変換結果表示画面８０１は、変換設定画面６０１と異なり、マッピング表示領域８０３にその対応づけを示す表示がされている。マッピング表示領域８０３において、黒丸で示すデータ項目は、他のデータ項目と対応付けがされていることを示す。また、線分で接続されるデータ項目同士は、互いに対応関係にあること示している。
【００６０】
以上、説明したように、ＥＤＩシステムにおいて、フォーマット変換を行う変換設定作成処理を自動的に行うことで、ユーザは、変換設定作成に要する時間短縮、つまりはコスト削減の効果が期待できる。また、ユーザは、手作業の項目を低減できるため、人為的なミスを減らすことができる。
【００６１】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００６２】
なお、本実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も実施例として適用することができる。また、上記のプログラムも実施形態として適用することができる。上記のプログラム、記録媒体、伝送媒体およびプログラムプロダクトは、本発明の範疇に含まれる。
【００６３】
以上、実施形態に基づいて詳述してきたが、特定の実施形態に限られるものではなく、発明の要旨を逸脱しない範囲の様々な形態も本発明の範疇に含まれる。さらに、上述した実施形態は一実施形態を示すものにすぎず、上述した実施形態から容易に想像可能な発明も本発明の範疇に含まれる。
【符号の説明】
【００６４】
１００    ＥＤＩシステム
１０１    ＥＤＩサーバ
３０２    表示制御部
３０３    記憶部
３０５    処理部
３０６    対応関係決定部
【図１】
2019049857.tif 000003
【図２】
2019049857.tif 000004
【図３】
2019049857.tif 000005
【図４】
2019049857.tif 000006
【図５】
2019049857.tif 000007
【図６】
2019049857.tif 000008
【図７】
2019049857.tif 000009
【図８】
2019049857.tif 000010